(57)【要約】【課題】炊き上げる時刻を予約設定可能な炊飯器において、誤って予約完了設定手段を操作していない場合に、その旨を報知し、使用者に注意喚起をするようにする。【解決手段】予約時刻設定手段３により予約時刻を設定し、予約完了設定手段４により予約時刻を設定する状態から設定された予約時刻に応じて炊飯を行う状態にし、制御手段８により鍋１を加熱する加熱手段２を制御する。制御手段８は、少なくとも予約時刻設定手段３を含む１つ以上の設定手段が最後に操作されてから現在までの時間を計時する放置時間計時手段を有し、予約時刻を設定する状態で、放置時間計時手段による計時時間が第１の所定時間以上となった場合に、報知手段６により報知する。【選択図】　図１
2004049263.tif 000002
【特許請求の範囲】
【請求項１】
予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、報知手段により報知するようにした炊飯器。
【請求項２】
予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、報知手段により報知するようにした炊飯器。
【請求項３】
予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、設定された予約時刻に応じて炊飯を行う状態にするようにした炊飯器。
【請求項４】
予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、設定された予約時刻に応じて炊飯を行う状態にするようにした炊飯器。
【請求項５】
設定された予約時刻に応じて炊飯を行う状態にする際に、少なくとも予約時刻設定手段を含む１つ以上の設定手段が最後に操作された時点、あるいは、それから第１の所定時間以下の第３の所定時間が経過した時点で、予約完了設定手段により設定された予約時刻に応じて炊飯を行う状態にした場合と同一の条件で設定された予約時刻に応じて炊飯を行う状態にするようにした請求項３または４記載の炊飯器。
【請求項６】
被調理物を入れる鍋と、前記鍋を炊飯器本体より出し入れする開閉手段と、前記開閉手段の開閉状態を検知する開閉検知手段とを備え、前記開閉手段の状態が変化した場合に、放置時間計時手段による計時時間を再設定するようにした請求項１〜５のいずれか１項に記載の炊飯器。
【請求項７】
被調理物を入れる所定の鍋と、前記所定の鍋の有無を検知する鍋検知手段とを備え、前記鍋検知手段により、鍋有無の状態が変化した場合に放置時間計時手段による計時時間を再設定するようにした請求項１〜６のいずれか１項に記載の炊飯器。
【請求項８】
停電を検知する停電検知手段を備え、前記停電検知手段により停電を検知した場合に、放置時間計時手段による計時時間を再設定するようにした請求項１〜７のいずれか１項に記載の炊飯器。
【請求項９】
使用者の接触あるいは近傍での使用者の存在を検知する使用者検知手段を備え、使用者の接触あるいは近傍での使用者の存在を検知した場合には、放置時間計時手段による計時時間を再設定するようにした請求項１〜８のいずれか１項に記載の炊飯器。
【請求項１０】
予約完了設定手段によらずに予約時刻に応じて炊飯を行う状態にするようにした場合に、その旨を報知するようにした請求項３〜９のいずれか１項に記載の炊飯器。
【請求項１１】
設定解除手段を備え、設定解除手段によって放置時間計時手段による計時によって予約時刻に応じて炊飯を行う状態にならないようにした請求項３〜１０のいずれか１項に記載の炊飯器。
【発明の詳細な説明】
【０００１】
【発明の属する技術分野】
本発明は、炊き上げる時刻を予約設定可能な炊飯器に関するものである。
【０００２】
【従来の技術】
従来、この種の炊飯器は図１８に示すように構成していた。以下、その構成について説明する。
【０００３】
図に示すように、鍋３１は米と水を入れるもので、この鍋３１を加熱する加熱手段３２を配設している。この加熱手段３２はヒータにより構成している。報知手段３６は液晶表示器により構成し、予約時刻や現在時刻やメニューなどの状態を表示するものである。予約時設定手段３３は、時キーと分キーとで構成し、予約時刻を設定するものてあり、予約完了設定手段３４は、スタートキーにより構成し、予約時刻を設定する状態から設定された予約時刻に応じて炊飯を行う状態にするものである。
【０００４】
状態検知手段３７は被調理物の状態を検知するもので、温度センサにより構成している。制御手段３８は、マイクロコンピュータと周辺回路で構成し、予約完了設定手段３４によって設定された予約時刻に応じて炊飯を行う状態になった場合、予約完了設定手段３４によって設定された予約時刻に応じて炊飯を行う状態になった時刻と設定された予約時刻と現在時刻に応じて所定の時刻から、所定のシーケンスに従って炊飯を行うように構成している。
【０００５】
【発明が解決しようとする課題】
しかしながら、このような従来の炊飯器では、予約完了設定手段３４によって設定された予約時刻に応じて炊飯を行う状態にしない限り、予約時刻に応じた炊飯は行われないため、使用者が設定された予約時刻に応じて炊飯を行う状態になっていると誤って判断してしまった場合には、予約完了設定手段３４を操作されないため、設定された予約時刻に応じて炊飯を行う状態にならず、設定された予約時刻に応じた炊飯は行われないという問題があった。
【０００６】
また、上記問題を考慮して、操作方法の表示や表示手段や音などの報知手段による操作ガイドといったものがあるが、使用者が先に予約時刻だけを設定し、意図して予約完了設定手段３４を操作しない状態のまま、別の作業を行い、誤って予約完了設定手段３４の操作をせずに放置してしまい、設定された予約時刻に応じた炊飯が行われないという問題があった。
【０００７】
また、使用者が予約完了設定手段３４の操作をせずに放置したことに気がついて、予約完了設定手段３４の操作を行ったり、即時に炊飯を開始するようにした場合に、米への浸水が十分に行われているにもかかわらず、それに応じた適切なシーケンスで炊飯がされないという問題があった。
【０００８】
本発明は上記従来の課題を解決するもので、誤って予約完了設定手段を操作していない場合に、その旨を報知し、使用者に注意喚起をするようにすることを第１の目的としている。
【０００９】
また、誤って予約完了設定手段を操作していない場合にも、設定中の予約時刻に炊きあがるようにすることを第２の目的としている。
【００１０】
【課題を解決するための手段】
本発明は上記第１の目的を達成するために、予約時刻設定手段により予約時刻を設定し、予約完了設定手段により予約時刻を設定する状態から設定された予約時刻に応じて炊飯を行う状態にし、制御手段により鍋を加熱する加熱手段を制御するよう構成し、制御手段は、少なくとも予約時刻設定手段を含む１つ以上の設定手段が最後に操作されてから現在までの時間を計時する放置時間計時手段を有し、予約時刻を設定する状態で、放置時間計時手段による計時時間が第１の所定時間以上となった場合に、報知手段により報知するようにしたものである。
【００１１】
これにより、予約時刻設定状態で、誤って第１の所定時間以上予約完了設定手段が操作されない場合に報知することで、使用者に注意を喚起することができ、操作もれを防止することができる。
【００１２】
また、上記第２の目的を達成するために、予約時刻設定手段により予約時刻を設定し、予約完了設定手段により予約時刻を設定する状態から設定された予約時刻に応じて炊飯を行う状態にし、制御手段により鍋を加熱する加熱手段を制御するよう構成し、制御手段は、少なくとも予約時刻設定手段を含む１つ以上の設定手段が最後に操作されてから現在までの時間を計時する放置時間計時手段を有し、予約時刻を設定する状態で、放置時間計時手段による計時時間が第１の所定時間以上となった場合に、設定された予約時刻に応じて炊飯を行う状態にするようにしたものである。
【００１３】
これにより、予約時刻設定状態で、第１の所定時間以上予約完了設定手段が操作されない場合に、設定された予約時刻に応じて炊飯を行う状態にすることで、使用者が設定が完了したと誤認している場合にも、設定された予約時刻に炊きあげることができる。
【００１４】
【発明の実施の形態】
本発明の請求項１に記載の発明は、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、報知手段により報知するようにしたものであり、予約時刻設定状態で、誤って第１の所定時間以上予約完了設定手段が操作されない場合に報知することで、使用者に注意を喚起することができ、操作もれを防止することができる。
【００１５】
請求項２に記載の発明は、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、報知手段により報知するようにしたものであり、故意に操作を中断している場合でも、設定中の予約時間に近づいた時点で所定の時間操作がない場合にその旨を使用者に報知することで、注意をうながすことができる。
【００１６】
請求項３に記載の発明は、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、設定された予約時刻に応じて炊飯を行う状態にするようにしたものであり、予約時刻設定状態で、第１の所定時間以上予約完了設定手段が操作されない場合に、設定された予約時刻に応じて炊飯を行う状態にすることで、使用者が設定が完了したと誤認している場合にも設定された予約時刻に炊きあげることができる。
【００１７】
請求項４に記載の発明は、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、設定された予約時刻に応じて炊飯を行う状態にするようにしたものであり、故意に操作を中断している場合でも、設定中の予約時間に近づいた時点で所定の時間操作がない場合に設定された予約時刻に応じて炊飯を行う状態にすることで、使用者が設定を故意に中断したまま放置してしまった場合にも、設定された予約時刻に炊きあげることができる。
【００１８】
請求項５に記載の発明は、上記請求項３または４に記載の発明において、設定された予約時刻に応じて炊飯を行う状態にする際に、少なくとも予約時刻設定手段を含む１つ以上の設定手段が最後に操作された時点、あるいは、それから第１の所定時間以下の第３の所定時間が経過した時点で、予約完了設定手段により設定された予約時刻に応じて炊飯を行う状態にした場合と同一の条件で設定された予約時刻に応じて炊飯を行う状態にするようにしたものであり、故意に操作を中断している場合でも、設定中の予約時間に近づいた時点で所定の時間操作がない場合に設定された予約時刻に応じて炊飯を行い、少なくとも予約時刻設定手段を含む１つ以上の設定手段が最後に操作された時点、あるいは、それから第１の所定時間が経過した時点で、予約完了設定手段により設定された予約時刻に応じて炊飯を行う状態にした場合と同一の条件で設定された予約時刻に応じて炊飯を行うため、使用者が設定を故意に中断したまま誤って放置してしまった場合にも設定された予約時刻に十分な浸水が行われている場合に、これに応じた所定のシーケンスで炊飯することができる。
【００１９】
請求項６に記載の発明は、上記請求項１〜５に記載の発明において、被調理物を入れる鍋と、前記鍋を炊飯器本体より出し入れする開閉手段と、前記開閉手段の開閉状態を検知する開閉検知手段とを備え、前記開閉手段の状態が変化した場合に、放置時間計時手段による計時時間を再設定するようにしたものであり、使用者が予約時刻設定中に故意に操作を中断して、被調理物の確認などのために開閉手段を開閉させた場合でも操作手段を操作した場合と同様になるため、確認のための開閉直後に使用者が意図しない動作をしないようにできる。また、計時時間を再設定するだけであるので、開閉作業後にそのまま誤って放置してしまった場合には、報知をしたり、設定中の予約時刻に炊きあげることができる。
【００２０】
請求項７に記載の発明は、上記請求項１〜６に記載の発明において、被調理物を入れる所定の鍋と、前記所定の鍋の有無を検知する鍋検知手段とを備え、前記鍋検知手段により、鍋有無の状態が変化した場合に放置時間計時手段による計時時間を再設定するようにしたものであり、使用者が予約時刻設定中に故意に操作を中断して、被調理物の準備などのために鍋を出し入れさせた場合でも、操作手段を操作した場合と同様になるため、鍋の出し入れ直後に使用者が意図しない動作をしないようにできる。また、計時時間を再設定するだけであるので、鍋の出し入れ作業後にそのまま誤って放置してしまった場合には、報知をしたり、設定中の予約時刻に炊きあげることができる。
【００２１】
請求項８に記載の発明は、上記請求項１〜７に記載の発明において、停電を検知する停電検知手段を備え、前記停電検知手段により停電を検知した場合に、放置時間計時手段による計時時間を再設定するようにしたものであり、使用者が予約時刻設定中に故意に操作を中断して、炊飯器本体の移動などのために商用電源から切り離して再度接続した場合でも、操作手段を操作した場合と同様になるため、炊飯器本体の移動などのために、商用電源から切り離して再度接続した直後に使用者が意図しない動作をしないようにできる。また、計時時間を再設定するだけであるので、炊飯器本体の移動などのために、商用電源から切り離して再度接続した後、そのまま誤って放置してしまった場合には、報知をしたり、設定中の予約時刻に炊きあげることができる。
【００２２】
請求項９に記載の発明は、上記請求項１〜８に記載の発明において、使用者の接触あるいは近傍での使用者の存在を検知する使用者検知手段を備え、使用者の接触あるいは近傍での使用者の存在を検知した場合には、放置時間計時手段による計時時間を再設定するようにしたものであり、使用者が第１の所定時間以上にゆっくりと設定を行っている場合でも、誤って報知したり、設定中の予約時刻に応じて炊飯を行う状態になってしまわないようにすることができる。
【００２３】
請求項１０に記載の発明は、上記請求項３〜９に記載の発明において、予約完了設定手段によらずに予約時刻に応じて炊飯を行う状態にするようにした場合に、その旨を報知するようにしたものであり、使用者が予約完了設定手段による設定を行っていなかったことを知らせることができ、次回から適切な操作ができるようになるとともに、予約時刻を最後まで設定せずに放置していて本来設定しようとしていた予約時刻と異なる時刻に炊きあがった場合でもそのことがわかるようにすることができる。
【００２４】
請求項１１に記載の発明は、上記請求項３〜１０に記載の発明において、設定解除手段を備え、設定解除手段によって放置時間計時手段による計時によって予約時刻に応じて炊飯を行う状態にならないようにしたものであり、使用者が意識して予約時刻設定状態で長時間放置することもできる。
【００２５】
【実施例】
以下、本発明の実施例について、図面を参照しながら説明する。なお、すべての実施例において、第１の所定の時間として５分、第２の所定の時間として６０分としているが、第１の所定の時間と第２の所定の時間は同じでも違っていても何ら問題ないことは明らかである。
【００２６】
また、第１の所定の時間と第２の所定の時間は両方またはいずれか一方を任意設定あるいは用意された数種類の中から選択できるようにしてもよいのは明らかである。
【００２７】
（実施例１）
図１に示すように、鍋１は米と水を入れるもので、この鍋１を加熱する加熱手段２を配設している。この加熱手段２はヒータにより構成している。予約時設定手段３は、時キーと分キーとで構成し、予約時刻を設定するものてあり、予約完了設定手段４は、スタートキーにより構成し、予約時刻を設定する状態から設定された予約時刻に応じて炊飯を行う状態にするものである。
【００２８】
その他の設定手段５は、メニューキーと切りキーとで構成している。報知手段６は液晶表示器により構成し、予約時刻や現在時刻やメニューなどの状態を表示するものである。状態検知手段７は被調理物の状態を検知するもので、温度センサにより構成している。
【００２９】
制御手段８は、マイクロコンピュータと周辺回路で構成し、放置時間計時手段を含み、現在時刻を含む各種時刻の計時と予約時刻の変更を行うとともに、加熱手段２を制御して被調理物の状態検知手段７からの入力と予約時刻と現在時刻に応じて、炊飯および保温と報知手段６の制御を行うよう構成している。
【００３０】
ここで、制御手段８は、予約時刻を設定する状態で、放置時間計時手段による計時時間が第１の所定時間（５分）以上となった場合に、報知手段６により報知するようにしている。
【００３１】
上記構成において図２を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００３２】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００３３】
ステップ７では、入力された設定手段に応じた設定を行い、ステップ４へ進む。ステップ８では放置時間をカウントしてその時間を確認し、第１の所定時間（５分）以上であるかどうかを判断し、第１の所定時間以上の場合はステップ９へ進み、第１の所定時間未満の場合は、ステップ１０へ進む。ステップ９では第１の所定時間以上放置されていることを報知手段６を構成する液晶表示器により報知し、ステップ１０へ進む。ステップ１０では、予約時刻設定中の他の動作を行い、ステップ１へ進む。
【００３４】
以上のように本実施例によれば、予約時刻設定中に第１の所定時間（５分）以上キー操作が行われない場合に、報知手段６により報知することで使用者にキー操作を促すため、使用者がキー操作を忘れて予約時刻に炊飯されていないといったことを防止することができる。
【００３５】
なお、本実施例では、第１の所定時間以上放置されていることを報知する報知手段６として、液晶表示器をあげているが、発光ダイオードでもよく、また、ブザー、音声等などでもよく、その方法や組み合わせを問わないものである。また、報知は一時的であっても、連続して行っても、定期的にくりかえしてもよく、また、次第に目立つ方法に変更していってもよく、報知する間隔を次第に短くするといったことをしてもよい。
【００３６】
（実施例２）
図１に示す制御手段８は、予約時刻を設定する状態で、設定中の予約時刻に応じた所定の時刻になった時点で、放置時間計時手段による計時時間が第１の所定時間（５分）以上であった場合に、報知手段６により報知するように構成している。他の構成は上記実施例１と同じである。
【００３７】
上記構成において図３を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００３８】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００３９】
ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合はステップ２１へ進み、第１の所定時間未満の場合は、ステップ１０へ進む。
【００４０】
ステップ２１では設定中の予約時刻と現在時刻差を計算してステップ２２へ進み、ステップ２２ではこの差が第２の所定時間（６０分）以上の場合、ステップ１０へ進み、第２の所定時間未満の場合はステップ２３へ進む。ステップ２３では第１の所定時間以上放置され、設定中の予約時刻まで時間が少ないことを報知手段６により報知し、ステップ１０へ進む。
【００４１】
以上のように本実施例によれば、予約時刻設定中に第１の所定時間（５分）以上キー操作が行われずに設定中の予約時刻の第２の所定時間（６０分）前になった場合に報知手段により報知することで、使用者にキー操作を促すため、一時的に使用者が設定を中断している場合には余計な報知をすることなく、使用者がキー操作を忘れて予約時刻に炊飯されていないといったことを防止することができる。
【００４２】
なお、本実施例の場合、予約時刻の第２の所定時間（６０分）前に報知するようにしているが、第２の所定時間は６０分に固定する必要はなく、選択されているメニューに応じた時間にしてもよいし、最後にキー操作をした時間と設定中の予約時刻との差が２時間以上なら４０分前、そうでなければ６０分前といったように変更してもよい。また、６０分前、５５分前というように複数回報知してもよく、それぞれで報知内容や方法を変更してもよい。
【００４３】
（実施例３）
図１に示す制御手段８は、予約時刻を設定する状態で、放置時間計時手段による計時時間が第１の所定時間（５分）以上となった場合に、設定された予約時刻に応じて炊飯を行う状態にするように構成している。他の構成は上記実施例１と同じである。
【００４４】
上記構成において図４を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００４５】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００４６】
ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合、ステップ３１へ進み、第１の所定時間未満の場合は、ステップ１０へ進む。ステップ３１では予約時刻に応じて炊飯を行う状態になる。ステップ１０では、予約時刻設定中の他の動作を行い、ステップ１へ進む。
【００４７】
以上のように本実施例によれば、予約時刻設定中に第１の所定時間（５分）以上キー操作が行われない場合に自動的に予約時刻に応じて炊飯を行う状態になるため、使用者がキー操作を忘れていた場合にも、予約時刻に炊飯されていないといったことを防止することができる。
【００４８】
なお、本実施例では、報知手段６による報知を行わずに、予約時刻に応じて炊飯を行う状態にしているが、報知手段６により報知してから予約時刻に応じて炊飯を行う状態にしてもよいし、第１の所定時間よりも短い第３の所定時間（例えば、０分）以上キー操作が行われない場合に、予め報知手段６により報知しておいてもよい。
【００４９】
（実施例４）
図１に示す制御手段８は、予約時刻を設定する状態で、設定中の予約時刻に応じた所定の時刻になった時点で、放置時間計時手段による計時時間が第１の所定時間（５分）以上であった場合に、設定された予約時刻に応じて炊飯を行う状態にするように構成している。他の構成は上記実施例１と同じである。
【００５０】
上記構成において図５を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００５１】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００５２】
ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合ステップ２１へ進み、第１の所定時間未満の場合は、ステップ１０へ進む。
【００５３】
ステップ２１では設定中の予約時刻と現在時刻差を計算してステップ２２へ進み、ステップ２２ではこの差が第２の所定時間（６０分）以上の場合ステップ１０へ進み、第２の所定時間未満の場合はステップ４１へ進む。ステップ４１では予約時刻に応じて炊飯を行う状態になる。
【００５４】
以上のように本実施例によれば、予約時刻設定中に第１の所定時間（５分）以上キー操作が行われずに設定中の予約時刻の第２の所定時間（６０分）前になった場合に自動的に予約時刻に応じて炊飯を行う状態になるため、一時的に使用者が設定を中断している場合には余計な報知をすることなく、使用者がキー操作を忘れて予約時刻に炊飯されていないといったことを防止することができる。
【００５５】
なお、本実施例の場合にも、第１の所定の時間を５分、第２の所定時間を６０分としているが、上記実施例２と同様に、時間を設定してもよいことは明らかである。また、本実施例では、報知手段６による報知を行わずに、予約時刻に応じて炊飯を行う状態にしているが、報知手段６により報知してから予約時刻に応じて炊飯を行う状態にしてもよいし、第１の所定時間よりも短い第３の所定時間（例えば、０分）以上キー操作が行われない場合に、予め報知手段６により報知しておいてもよい。
【００５６】
（実施例５）
図１に示す制御手段８は、設定された予約時刻に応じて炊飯を行う状態にする際に、少なくとも予約時刻設定手段３を含む１つ以上の設定手段が最後に操作された時点、あるいは、それから第１の所定時間（５分）以下の第３の所定時間（例えば、０分）が経過した時点で、予約完了設定手段４により設定された予約時刻に応じて炊飯を行う状態にした場合と同一の条件で設定された予約時刻に応じて炊飯を行う状態にするように構成している。他の構成は上記実施例４と同じである。
【００５７】
上記構成において図５および図６を参照しながら動作を説明する。なお、図６は実施例５の図５におけるステップ５とステップ４１の動作を説明したフローチャートであり、図５については上記実施例４と同じであり、説明を省略する。
【００５８】
図６を参照しながら動作を説明すると、ステップ５１では、予約完了設定手段４を構成するスタートキーを押した時刻をＴ１として記録して、ステップ５３へ進む。ステップ５２では、最後に設定手段により操作した時刻をＴ１として記録して、ステップ５３へ進む。ステップ５３では、設定されている予約時刻と記録したＴ１との差を計算し、ステップ５４へ進む。
【００５９】
ステップ５４では、計算した差が２時間以上かどうかを判断し、２時間以上の場合はステップ５５へ進み、２時間未満の場合はステップ５６へ進む。ステップ５５では、浸水などの作業は短縮可能であると判断し、炊飯のために加熱手段２を制御する時間を予約時刻の４０分前にするなど、予約時刻までの時間が長かった場合に応じた設定で炊飯を行うようにする。
【００６０】
ステップ５６では、浸水などの作業は不十分である可能性があると判断し、炊飯のために加熱手段を制御する時間を予約時刻の６０分前にするなど、予約時刻までの時間が短かった場合に応じた設定で炊飯を行うようにする。
【００６１】
以上のように本実施例では、予約時刻設定中に第１の所定時間（５分）以上キー操作が行われずに設定中の予約時刻の第２の所定時間（６０分）前になった場合に自動的に予約時刻に応じて炊飯を行う状態になるため、一時的に使用者が設定を中断している場合には余計な報知をすることなく、使用者がキー操作を忘れて予約時刻に炊飯されていないといったことを防止することができるとともに、最後にキー操作を行った時刻にスタートキーを操作した場合と同じシーケンスで炊飯を行うことができるので、より最適なシーケンスで炊飯を行うことができる。
【００６２】
なお、本実施例の場合、予約時刻との差が２時間以上であることを判定しているが、これは、２時間３０分などでもよく、設定されたメニューに応じて変更してもよい。また、例えば１時間未満の場合には、予約時刻に関係なく、炊飯を開始するようにしてもよいし、これもまた設定されたメニューに応じて変更してもよい。
【００６３】
また、本実施例では、予約時刻との差が２時間以上の場合と２時間未満の場合のシーケンスの違いを挙げているが、これはあくまで一例であり、炊飯シーケンスを補正するのでなく、全く別のシーケンスとしてもよいし、２時間といった一点でわけた２種類だけでなく、設定されたメニューに応じて分けない場合を含めて複数の段階を持ってもよい。
【００６４】
（実施例６）
図７に示すように、開閉手段１０は、蓋により構成し、鍋１を炊飯器本体より出し入れするものであり、開閉検知手段９は、スイッチにより構成し、開閉手段１０の開閉状態を検知するものである。制御手段８は、開閉手段１０の状態が変化した場合に、放置時間計時手段による計時時間を再設定するように構成している。他の構成は上記実施例１と同じであり、同一符号を付して説明を省略する。
【００６５】
上記構成において図８を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００６６】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ６１へ進む。
【００６７】
ステップ７では、入力された設定手段に応じた設定を行い、ステップ４へ進む。ステップ６１では、開閉検知手段９からの入力が変化したかどうかを判断し、変化した場合はステップ４へ進み、変化がない場合はステップ８へ進む。
【００６８】
ステップ８では、放置時間をカウントしてその時間を確認し、第１の所定時間（５分）以上であるかどうかを判断し、第１の所定時間以上の場合ステップ３１へ進み、第１の所定時間未満の場合は、ステップ１０へ進む。ステップ３１では予約時刻に応じて炊飯を行う状態になる。ステップ１０では、予約時刻設定中の他の動作を行い、ステップ１へ進む。
【００６９】
以上のように本実施例によれば、予約時刻設定中に第１の所定時間（５分）以上キー操作が行われない場合に自動的に予約時刻に応じて炊飯を行う状態になるため、使用者がキー操作を忘れていた場合にも、予約時刻に炊飯されていないといったことを防止することができるとともに、鍋を出し入れしたり、水加減を確認したりするために蓋開閉を行った場合にも放置時間をクリアするので、調理のための準備操作中に勝手に予約時刻に応じて炊飯を行う状態になるのを防止することができる。
【００７０】
なお、本実施例では、開閉手段１０が変化した場合に放置時間の計時をクリアしているが、蓋開閉は最後の確認のために行っている場合が比較的多いため、放置時間が２分以上の場合は２分にし、それ以外はそのまま計時を続けるといったような再設定の仕方でもよい。
【００７１】
また、本実施例では、開閉検知手段９が変化した場合に限定しているが、蓋が開状態の場合には、放置時間を計時しないようにしてもよいし、報知手段による報知のみ行うようにしてもよい。
【００７２】
（実施例７）
図９に示すように、鍋検知手段１１は、被調理物を入れる所定の鍋１が炊飯器本体内にセットされているかどうかを検知するものである。制御手段８は、鍋検知手段１１により、鍋１の有無の状態が変化した場合に放置時間計時手段による計時時間を再設定するように構成している。他の構成は上記実施例１と同じであり、同一符号を付して説明を省略する。
【００７３】
上記構成において図１０を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００７４】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ７１へ進む。
【００７５】
ステップ７では、入力された設定手段に応じた設定を行い、ステップ４へ進む。ステップ７１では鍋検知手段１１により鍋１の有無の状態に変化があったかどうかを判断し、変化があった場合はステップ４へ進み、変化がなかった場合はステップ８へ進む。ステップ８では、放置時間をカウントして、その時間を確認し、第１の所定時間（５分）以上であるかどうかを判断し、第１の所定時間以上の場合はステップ２１へ進み、第１の所定時間未満の場合は、ステップ１０へ進む。
【００７６】
ステップ２１では、設定中の予約時刻と現在時刻差を計算してステップ２２へ進み、ステップ２２ではこの差が第２の所定時間（６０分）以上の場合はステップ１０へ進み、第２の所定時間未満の場合はステップ４１へ進む。ステップ４１では予約時刻に応じて炊飯を行う状態になる。
【００７７】
以上のように本実施例によれば、予約時刻設定中に第１の所定時間（５分）以上キー操作が行われずに設定中の予約時刻の第２の所定時間（６０分）前になった場合に、自動的に予約時刻に応じて炊飯を行う状態になるため、一時的に使用者が設定を中断している場合には余計な報知をすることなく、使用者がキー操作を忘れて予約時刻に炊飯されていないといったことを防止することができるとともに、鍋検知手段１１により鍋１の有無の状態が変化した場合にも放置時間をクリアするため、調理のための準備操作中に勝手に予約時刻に応じて炊飯を行う状態になることを防止することができる。
【００７８】
なお、本実施例では、鍋１の有無の状態が変化した場合に放置時間の計時をクリアしているが、放置時間が２分以上の場合は２分にし、それ以外はそのまま計時を続けるといったような再設定の仕方でもよい。
【００７９】
また、本実施例では、鍋検知手段１１が変化した場合に限定しているが、鍋なしの状態では、調理ができないことは当然であるため、鍋なしから鍋有りの状態に変化した場合にのみ限定してもよい。
【００８０】
（実施例８）
図１１に示すように、停電検知手段１２は、停電を検知するもので、制御手段８は、停電検知手段１２により停電を検知した場合に、放置時間計時手段による計時時間を再設定するように構成している。他の構成は上記実施例１と同じであり、同一符号を付して説明を省略する。
【００８１】
上記構成において図１２を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００８２】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００８３】
ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合ステップ９へ進み、第１の所定時間未満の場合は、ステップ１０へ進む。ステップ９では第１の所定時間以上放置されていることを報知手段６を構成する液晶表示器により報知し、ステップ１０へ進む。
【００８４】
ステップ１０では、予約時刻設定中の他の動作を行い、ステップ８１へ進む。ステップ８１では、電源状態を確認し、停電状態でなければステップ１へ戻り、停電状態であればステップ８２へ進む。ステップ８２では停電用の表示や動作を行い、ステップ８３へ進む。ステップ８３では停電状態が解除されたかどうかを確認し、解除されていればステップ８４へ進み、解除されていない場合にはステップ８２へ戻る。ステップ８４では放置時間カウンタをクリアし、ステップ１へ戻る。
【００８５】
以上のように本実施例によれば、予約時刻設定中に第１の所定時間（５分）以上キー操作が行われない場合に報知手段６により報知することで、使用者にキー操作を促すため使用者がキー操作を忘れて予約時刻に炊飯されていないといったことを防止することができるとともに、ブレーカーの作動などにより停電した場合には、放置時間カウンタをクリアするため、電源の復帰後すぐに報知されるといったことを防止することができる。
【００８６】
なお、本実施例では、停電復帰時に放置時間カウンタをクリアするようにしているが、第１の所定時間を延長するといった方法でも同様の効果が得られることは明らかである。
【００８７】
（実施例９）
図１３に示すように、使用者検知手段１３は、赤外線センサにより構成し、使用者の接触あるいは近傍での使用者の存在を検知するものである。制御手段８は、使用者検知手段１３により使用者の接触あるいは近傍での使用者の存在を検知した場合には、放置時間計時手段による計時時間を再設定するように構成している。他の構成は上記実施例１と同じであり、同一符号を付して説明を省略する。
【００８８】
上記構成において図１４を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００８９】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ９１へ進む。
【００９０】
ステップ７では、入力された設定手段に応じた設定を行い、ステップ４へ進む。ステップ９１では使用者検知手段１３により、使用者が近傍にいる場合にはステップ４へ進み、近傍にいない場合はステップ８へ進む。ステップ８では、放置時間をカウントして、その時間を確認し、第１の所定時間（５分）以上であるかどうかを判断し、第１の所定時間以上の場合はステップ２１へ進み、第１の所定時間未満の場合は、ステップ１０へ進む。
【００９１】
ステップ２１では、設定中の予約時刻と現在時刻差を計算してステップ２２へ進み、ステップ２２ではこの差が第２の所定時間（６０分）以上の場合はステップ１０へ進み、第２の所定時間未満の場合はステップ４１へ進む。ステップ４１では予約時刻に応じて炊飯を行う状態になる。
【００９２】
以上のように本実施例によれば、予約時刻設定中に第１の所定時間（５分）以上キー操作が行われずに設定中の予約時刻の第２の所定時間（６０分）前になった場合に自動的に予約時刻に応じて炊飯を行う状態になるため、使用者が近傍にいて一時的に使用者が設定を中断している場合には余計な報知をすることなく、使用者がキー操作を忘れて予約時刻に炊飯されていないといったことを防止することができる。
【００９３】
なお、本実施例では、使用者検知手段１３として、赤外線センサを利用しているが、使用者が近傍にいるかどうかを判断できればよいのであり、接触センサでもよく、また、必ずしも炊飯器本体内に設置されている必要はなく、携帯端末の電波やホームセキュリティシステムなどにより外出や就寝といったことを検知してもよい。
【００９４】
（実施例１０）
図１に示す制御手段８は、予約完了設定手段４を構成するスタートキーによらずに予約時刻に応じて炊飯を行う状態にするようにした場合に、その旨を報知手段６により報知するように構成している。他の構成は上記実施例１と同じである。
【００９５】
上記構成において図１５を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【００９６】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ８へ進む。
【００９７】
ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合はステップ１０１へ進み、第１の所定時間未満の場合は、ステップ１０へ進む。
【００９８】
ステップ１０１では、自動的に予約時刻に応じて炊飯を行う状態になった旨を報知手段６を構成する液晶表示器にて報知し、ステップ３１へ進む。ステップ３１では予約時刻に応じて炊飯を行う状態になる。ステップ１０では、予約時刻設定中の他の動作を行い、ステップ１へ進む。
【００９９】
以上のように本実施例によれば、予約時刻設定中に第１の所定時間（５分）以上キー操作が行われない場合に自動的に予約時刻に応じて炊飯を行う状態になるため、使用者がキー操作を忘れていた場合にも、予約時刻に炊飯されていないといったことを防止することができるとともに、使用者がキー操作を忘れて自動的に予約時刻に応じて炊飯を行う状態になっていることを報知し続けるため、使用者が自動的に予約時刻に応じて炊飯を行う状態になったときに気付かなくても、後で気付くことができ、操作を忘れていたことに対して注意を喚起することができる。
【０１００】
なお、本実施例では、報知手段６による報知をしつづけるようにしているが、自動的に予約時刻に応じて炊飯を行う状態になってから一定時間の間だけでもよく、炊飯または保温が終了するまでや、使用者により何らかの操作がされるまでといったように制限をつけてもよい。
【０１０１】
（実施例１１）
図１６に示すように、設定解除手段１４は、設定解除スイッチにより構成し、放置時間の計時を行わないようにするものである。制御手段８は、設定解除手段１４によって、放置時間計時手段による計時によって予約時刻に応じて炊飯を行う状態にならないように構成している。他の構成は上記実施例１と同じであり、同一符号を付して説明を省略する。
【０１０２】
上記構成において図１７を参照しながら動作を説明する。ステップ１で予約時刻設定手段３を構成する時キーまたは分キーよる入力があったかどうかを判断し、入力があった場合はステップ２へ進み、入力がない場合はステップ３へ進む。ステップ２では、予約時刻を変更し、ステップ４へ進む。ステップ４では放置時間カウンタをクリアし、ステップ１０へ進む。
【０１０３】
ステップ３では、予約完了設定手段４を構成するスタートキーによる入力があったかどうかを判断し、入力があった場合はステップ５へ進み、入力がない場合はステップ６へ進む。ステップ５では、予約時刻に応じて炊飯を行う状態になる。ステップ６ではその他の設定手段５による入力があったかどうかを判断し、入力があった場合はステップ７へ進み、入力がない場合はステップ１１１へ進む。
【０１０４】
ステップ１１１では、設定解除手段１４により設定解除がされているかどうかを判断し、解除されている場合はステップ１０へ進み、解除されていない場合はステップ８へ進む。ステップ７では、入力された設定手段に応じた設定を行い、ステップ４へ進む。ステップ８では、放置時間をカウントして、その時間を確認し、第１の所定時間（５分）以上であるかどうかを判断し、第１の所定時間以上の場合ステップ３１へ進み、第１の所定時間未満の場合は、ステップ１０へ進む。ステップ３１では予約時刻に応じて炊飯を行う状態になる。ステップ１０では、予約時刻設定中の他の動作を行い、ステップ１へ進む。
【０１０５】
以上のように本実施例によれば、予約時刻設定中に第１の所定時間（５分）以上キー操作が行われない場合に自動的に予約時刻に応じて炊飯を行う状態になるため、使用者がキー操作を忘れていた場合にも、予約時刻に炊飯されていないといったことを防止することができるとともに、使用者が故意にしばらく放置する場合には、設定解除手段１４により設定することで、自動的に予約時刻に応じて炊飯を行う状態にならないようにすることができる。
【０１０６】
なお、本実施例では、別に設定解除手段１４を設けたが、他の設定手段の組み合わせで行ってもよく、また、同様に再設定手段を設けてもよいし、現在が設定状態か設定解除状態かを報知手段６により報知してもよい。
【０１０７】
【発明の効果】
以上のように本発明の請求項１に記載の発明によれば、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、報知手段により報知するようにしたから、所定の時間操作されない場合に報知することで、使用者に注意を喚起することができ、操作もれを防止することができる。
【０１０８】
また、請求項２に記載の発明によれば、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、報知手段により報知するようにしたから、故意に操作を中断している場合でも、設定中の予約時間に近づいた時点で所定の時間操作がない場合にその旨を使用者に報知することで、注意をうながすことができる。
【０１０９】
また、請求項３に記載の発明によれば、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、前記放置時間計時手段による計時時間が第１の所定時間以上となった場合に、設定された予約時刻に応じて炊飯を行う状態にするようにしたから、所定の時間操作されない場合に、設定された予約時刻に応じて炊飯を行う状態にすることで、使用者が設定が完了したと誤認している場合にも設定された予約時刻に炊きあげることができる。
【０１１０】
また、請求項４に記載の発明によれば、予約時刻を設定する予約時刻設定手段と、予約時刻を設定する状態から設定された予約時刻に応じて炊飯を行う状態にする予約完了設定手段と、鍋を加熱する加熱手段を制御する制御手段とを備え、前記制御手段は、少なくとも予約時刻設定手段を含む１つ以上の設定手段が最後に操作されてから現在までの時間を計時する放置時間計時手段を有し、予約時刻を設定する状態で、設定中の予約時刻に応じた所定の時刻になった時点で、前記放置時間計時手段による計時時間が第１の所定時間以上であった場合に、設定された予約時刻に応じて炊飯を行う状態にするようにしたから、故意に操作を中断している場合でも、設定中の予約時間に近づいた時点で所定の時間操作がない場合に設定された予約時刻に応じて炊飯を行う状態にすることで、使用者が設定を故意に中断したまま放置してしまった場合にも、設定された予約時刻に炊きあげることができる。
【０１１１】
また、請求項５に記載の発明によれば、設定された予約時刻に応じて炊飯を行う状態にする際に、少なくとも予約時刻設定手段を含む１つ以上の設定手段が最後に操作された時点、あるいは、それから第１の所定時間以下の第３の所定時間が経過した時点で、予約完了設定手段により設定された予約時刻に応じて炊飯を行う状態にした場合と同一の条件で設定された予約時刻に応じて炊飯を行う状態にするようにしたから、故意に操作を中断している場合でも、設定中の予約時間に近づいた時点で所定の時間操作がない場合に設定された予約時刻に応じて炊飯を行い、少なくとも予約時刻設定手段を含む１つ以上の設定手段が最後に操作された時点、あるいは、それから第１の所定時間が経過した時点で、予約完了設定手段により設定された予約時刻に応じて炊飯を行う状態にした場合と同一の条件で設定された予約時刻に応じて炊飯を行うため、使用者が設定を故意に中断したまま誤って放置してしまった場合にも設定された予約時刻に十分な浸水が行われている場合に、これに応じた所定のシーケンスで炊飯することができる。
【０１１２】
また、請求項６に記載の発明によれば、被調理物を入れる鍋と、前記鍋を炊飯器本体より出し入れする開閉手段と、前記開閉手段の開閉状態を検知する開閉検知手段とを備え、前記開閉手段の状態が変化した場合に、放置時間計時手段による計時時間を再設定するようにしたから、使用者が予約時刻設定中に故意に操作を中断して、被調理物の確認などのために開閉手段を開閉させた場合でも操作手段を操作した場合と同様になるため、確認のための開閉直後に使用者が意図しない動作をしないようにできる。また、計時時間を再設定するだけであるので、開閉作業後にそのまま誤って放置してしまった場合には、報知をしたり、設定中の予約時刻に炊きあげることができる。
【０１１３】
また、請求項７に記載の発明によれば、被調理物を入れる所定の鍋と、前記所定の鍋の有無を検知する鍋検知手段とを備え、前記鍋検知手段により、鍋有無の状態が変化した場合に放置時間計時手段による計時時間を再設定するようにしたから、使用者が予約時刻設定中に故意に操作を中断して、被調理物の準備などのために鍋を出し入れさせた場合でも、操作手段を操作した場合と同様になるため、鍋の出し入れ直後に使用者が意図しない動作をしないようにできる。また、計時時間を再設定するだけであるので、鍋の出し入れ作業後にそのまま誤って放置してしまった場合には、報知をしたり、設定中の予約時刻に炊きあげることができる。
【０１１４】
また、請求項８に記載の発明によれば、停電を検知する停電検知手段を備え、前記停電検知手段により停電を検知した場合に、放置時間計時手段による計時時間を再設定するようにしたから、使用者が予約時刻設定中に故意に操作を中断して、炊飯器本体の移動などのために商用電源から切り離して再度接続した場合でも、操作手段を操作した場合と同様になるため、炊飯器本体の移動などのために、商用電源から切り離して再度接続した直後に使用者が意図しない動作をしないようにできる。また、計時時間を再設定するだけであるので、炊飯器本体の移動などのために、商用電源から切り離して再度接続した後、そのまま誤って放置してしまった場合には、報知をしたり、設定中の予約時刻に炊きあげることができる。
【０１１５】
また、請求項９に記載の発明によれば、使用者の接触あるいは近傍での使用者の存在を検知する使用者検知手段を備え、使用者の接触あるいは近傍での使用者の存在を検知した場合には、放置時間計時手段による計時時間を再設定するようにしたから、使用者が第１の所定時間以上にゆっくりと設定を行っている場合でも、誤って報知したり、設定中の予約時刻に応じて炊飯を行う状態になってしまわないようにすることができる。
【０１１６】
また、請求項１０に記載の発明によれば、予約完了設定手段によらずに予約時刻に応じて炊飯を行う状態にするようにした場合に、その旨を報知するようにしたから、使用者が予約完了設定手段による設定を行っていなかったことを知らせることができ、次回から適切な操作ができるようになるとともに、予約時刻を最後まで設定せずに放置していて本来設定しようとしていた予約時刻と異なる時刻に炊きあがった場合でもそのことがわかるようにすることができる。
【０１１７】
また、請求項１１に記載の発明によれば、設定解除手段を備え、設定解除手段によって放置時間計時手段による計時によって予約時刻に応じて炊飯を行う状態にならないようにしたから、使用者が意識して予約時刻設定状態で長時間放置することもできる。
【図面の簡単な説明】
【図１】本発明の第１の実施例の炊飯器のブロック図
【図２】同炊飯器の動作フローチャート
【図３】本発明の第２の実施例の炊飯器の動作フローチャート
【図４】本発明の第３の実施例の炊飯器の動作フローチャート
【図５】本発明の第４の実施例の炊飯器の動作フローチャート
【図６】本発明の第５の実施例の炊飯器の要部動作フローチャート
【図７】本発明の第６の実施例の炊飯器のブロック図
【図８】同炊飯器の動作フローチャート
【図９】本発明の第７の実施例の炊飯器のブロック図
【図１０】同炊飯器の動作フローチャート
【図１１】本発明の第８の実施例の炊飯器のブロック図
【図１２】同炊飯器の動作フローチャート
【図１３】本発明の第９の実施例の炊飯器のブロック図
【図１４】同炊飯器の動作フローチャート
【図１５】本発明の第１０の実施例の炊飯器の動作フローチャート
【図１６】本発明の第１１の実施例の炊飯器のブロック図
【図１７】同炊飯器の動作フローチャート
【図１８】従来の炊飯器のブロック図
【符号の説明】
１　鍋
２　加熱手段
３　予約時刻設定手段
４　予約完了設定手段
６　報知手段
８　制御手段
【図１】
2004049263.tif 000003
【図２】
2004049263.tif 000004
【図３】
2004049263.tif 000005
【図４】
2004049263.tif 000006
【図５】
2004049263.tif 000007
【図６】
2004049263.tif 000008
【図７】
2004049263.tif 000009
【図８】
2004049263.tif 000010
【図９】
2004049263.tif 000011
【図１０】
2004049263.tif 000012
【図１１】
2004049263.tif 000013
【図１２】
2004049263.tif 000014
【図１３】
2004049263.tif 000015
【図１４】
2004049263.tif 000016
【図１５】
2004049263.tif 000017
【図１６】
2004049263.tif 000018
【図１７】
2004049263.tif 000019
【図１８】
2004049263.tif 000020